(57)【要約】      （修正有）【課題】水溶性プラスチック袋を使用し、釣り餌、撒き餌あるいは重りを釣糸に結縛して、目標場所に、天候の如何にかかわらず、また特別な器具を要することもなく、簡単に投入できる遠投用の釣り餌、撒き餌等用のプラスチック袋を提供する。【構成】水溶性でなるプラスチック袋素材を、長手方向の略中心より折曲げ底部とし、また、長手方向の両縁側を溶着部とする。溶着部より両端側を引裂き可能とし、この引裂き片を、釣糸に結縛、捲装して設けるとともに、結縛したプラスチック袋に、釣り餌、撒き餌、重りを収容する構成とする。【選択図】図２−４
0003149722.tif 000002
【実用新案登録請求の範囲】
【請求項１】
上部開口の水溶性でなるプラスチック袋であって、
この水溶性でなるプラスチック袋の袋部は、水溶性でなるプラスチック袋素材を、長手方向の略中心より折曲げ形成して底部とするとともに、この長手方向の両縁側を、溶着して形成した溶着部とする構造であり、この溶着部を利用して、前記両端側を引裂き可能とし、この引裂き後の引裂き片を、釣糸に結縛、捲装して設けるとともに、この結縛、捲装して設けたプラスチック袋に、釣り餌、又は撒き餌、或いは必要により小石、砂、錘等の重りを収容する構成した水溶性でなるプラスチック袋。
【請求項２】
請求項１に記載の水溶性でなるプラスチック袋であって、
この水溶性でなるプラスチック袋を、鯛釣り用として利用し、撒き餌を他の魚に与えるとともに、釣り餌を、前記鯛に食わせる構造とし、針の釣り餌を、撒き餌と水溶性でなるプラスチックで保護する構成とした水溶性でなるプラスチック袋。
【請求項３】
請求項１に記載の水溶性でなるプラスチック袋であって、
この水溶性でなるプラスチック袋の両端側の溶着部を引裂き、この引裂いた引裂き片を、釣糸に結縛、捲装して設ける構成とした水溶性でなるプラスチック袋。
【考案の詳細な説明】
【技術分野】
【０００１】
本考案は、遠投用として最適な釣り餌、撒き餌、又は重り等用のプラスチック袋に関する。
【背景技術】
【０００２】
従来、遠投用の水溶性容器において、この容器内に釣り餌、又は撒き餌を収容し、撒き餌の効率的な使用と、海中の汚染防止に役立てること等を意図する。しかし、容器であることから、使用に不便を来すこと、また、コスト高になること等の問題点があった。そして、この問題を解決するための手段として、水溶性でなるプラスチック袋が、外国において、重宝されている。しかし、この水溶性でなるプラスチック袋は、上部開口を有する完全な袋形状（袋体）であるので、この袋体を引裂くのに、人手（指先）では、厄介、かつ困難であることから、例えば、鋏等の器具が要求される。しかし、現実には、それぞれの釣り場で、器具を取出し、切断後に、この器具を収容し、この切断したプラスチック袋に、釣り餌、撒き餌をいちいち収容する等の所作は、厄介であり、面倒であるので、その改良が望まれていた。この改良と、さらに便利な、水溶性でなるプラスチック袋が要求される処である。
【０００３】
また、従来は、単に、水溶性でなるプラスチック袋内に、釣り餌及び／又は撒き餌のみを収容する構造（寸法と、素材を含めた構造）であることから、小石、砂、錘等の重りを収容することを何ら考慮しておらず、遠投用として機能していないのが現況である。
【０００４】
上記の改良と、要望を達成する手段を、先行文献から検討する。この検討に値する文献を如何に、説明する。
【０００５】
その文献（１）は、特開平１０−８４８２７号の「釣り餌容器」であり、熱溶解可能なＰＶＡ系樹脂を溶解成形する構造とし、水中崩壊性を利用した釣り餌、又は撒き餌の容器である。これにより、遠いポイント、深いポイント等の困難な箇所への釣り餌、又は撒き餌を届けることを意図する。しかし、この発明は、容器であり、釣り糸に取付ける際に、特段の配慮、例えば、器具、取付け具等の取付け手段と、取付けに要する手間が必要となること、及びこの所作を、釣り餌の取付け、又は撒き餌を収容する際に、いちいちすることは、大変で、かつ厄介であると考えられる。
【０００６】
また、文献（２）は、特開平９−１７２９２９号の「釣用水解性シート及び釣撒き餌袋」であり、この発明は、水溶性、又は水解性の樹脂で構成するシートと、このシートを利用した袋である。これにより、釣場の所定位置に達したところで、竿のしゃくり等の所作を要することなく、溶解、又は崩壊し、刺餌の支持や、撒き餌を拡散することを意図する。しかし、この発明の袋は、袋内に各餌を収容し、全体をヒートシールする構造であり、釣場において、工夫することは困難であること、ヒートシール作業に手間を要すること等の改良が考えられる。また、この発明は、水解性シートで、各餌を包被、又はパック詰めする構造であり、釣場における風雨時、又は低温等の状況下では、この作業をすることは、なかなか困難と考えられる。
【０００７】
さらに、文献（３）は、ＷО２００５／０８４４３３号の「撒き餌、それに用いる水溶性容器の製造方法及び該製造方法に使用する金型」であり、この発明は、水溶性容器に内蔵される撒き餌において、該容器が水溶性多糖および／またはその誘導体を主成分とする材料で構成されている。これにより、撒き餌の取扱が良好であると共に、仕掛けと確実に同調することを可能とし、環境にも優しい水溶性容器に内蔵される撒き餌を提供できる特徴がある。しかし、この発明は、取付け具等の取付け手段と、取付け、取外しを要するので、手間であること、及びこの所作を、釣り餌の取付け、又は撒き餌を収容する際に、いちいちすることは、大変で、かつ厄介であると考えられる。そして、また、この発明は、水溶性容器内に、各餌を収容、又はパック詰めする構造であり、釣場における風雨時、又は低温等の状況下では、この作業をすることは、なかなか困難と考えられる。
【０００８】
【特許文献１】特開平１０−８４８２７号
【特許文献２】特開平９−１７２９２９号
【特許文献３】ＷＯ２００５／０８４４３３号
【考案の開示】
【考案が解決しようとする課題】
【０００９】
前記文献（１）〜（３）は、総称すると、次のような課題を抱えている。その「１」は、取付け具等の取付け手段を採用する構造であり、この取付け手段の手当が必要となること、また、この取付け手段の取付け、取外しを要するので、手間であること、及びこの所作を、釣り餌の取付け、又は撒き餌を収容する際に、いちいちすることは、大変で、かつ厄介であること等が考えられる。また、その「２」は、水溶性容器内に、各餌を収容、又はパック詰めする構造であり、釣場における風雨時、又は低温等の状況下では、この作業をすることが困難視されること、また、煩わしいこと等が考えられる。
【００１０】
上記に鑑み、本考案は、下記のことを意図する。その「Ａ」は、水溶性でなる袋の両縁側の溶着部を、手、又は指先で（器具を要することなく）、簡単かつワンタッチで引裂き可能とし、各餌（釣り餌及び／又は撒き餌）と、重りを収容可能とし、簡便性と、経済性を確保する。また、「Ｂ」は、この引裂いた引裂き片を、釣糸に結縛、捲装して設けることで、取付け手段を不要とし、簡便性と、経済性を確保する。更に、「Ｃ」は、前記の如く、簡単かつワンタッチで引裂き可能で、かつこの引裂き片を、釣糸に結縛、捲装して設けることで、略全ての釣場、又は釣場の気候条件に左右されることなく、この水溶性でなる袋と、各餌、又は重りの使用が図れる。
【課題を解決するための手段】
【００１１】
請求項１の考案は、前記「Ａ」〜「Ｃ」に記載の意図を提供する。
【００１２】
請求項１は、上部開口の水溶性でなるプラスチック袋であって、
この水溶性でなるプラスチック袋の袋部は、水溶性でなるプラスチック袋素材を、長手方向の略中心より折曲げ形成して底部とするとともに、この長手方向の両縁側を、溶着して形成した溶着部とする構造であり、この溶着部を利用して、前記両端側を引裂き可能とし、この引裂き後の引裂き片を、釣糸に結縛、捲装して設けるとともに、この結縛、捲装して設けたプラスチック袋に、釣り餌、又は撒き餌、或いは必要により小石、砂、錘等の重りを収容する構成した水溶性でなるプラスチック袋である。
【００１３】
請求項２の考案は、前記「Ａ」〜「Ｃ」の意図を達成するに最適な釣りを提供する。
【００１４】
請求項２は、請求項１に記載の水溶性でなるプラスチック袋であって、
この水溶性でなるプラスチック袋を、鯛釣り用として利用し、撒き餌を他の魚に与えるとともに、釣り餌を、前記鯛に食わせる構造とし、針の釣り餌を、撒き餌と水溶性でなるプラスチックで保護する構成とした水溶性でなるプラスチック袋である。
【００１５】
請求項３の考案は、前記「Ｃ」に記載の意図を提供する。
【００１６】
請求項３は、請求項１に記載の水溶性でなるプラスチック袋であって、
この水溶性でなるプラスチック袋の両端側の溶着部を引裂き、この引裂いた引裂き片を、釣糸に結縛、捲装して設ける構成とした水溶性でなるプラスチック袋である。
【考案の効果】
【００１７】
請求項１の考案は、上部開口の水溶性でなるプラスチック袋であって、
水溶性でなるプラスチック袋の袋部は、水溶性でなるプラスチック袋素材を、長手方向の略中心より折曲げ形成して底部とするとともに、長手方向の両縁側を、溶着して形成した溶着部とする構造であり、溶着部を利用して、両端側を引裂き可能とし、引裂き後の引裂き片を、釣糸に結縛、捲装して設けるとともに、結縛、捲装して設けたプラスチック袋に、釣り餌、又は撒き餌、或いは必要により小石、砂、錘等の重りを収容する構成した水溶性でなるプラスチック袋である。
【００１８】
従って、請求項１は、次の特徴がある。その「Ａ」は、水溶性でなる袋の両縁側の溶着部を、手、又は指先で（器具を要することなく）、簡単かつワンタッチで引裂き可能とし、各餌と、重りを収容可能とし、簡便性と、経済性を確保できる。また、「Ｂ」は、この引裂いた引裂き片を、釣糸に結縛、捲装して設けることで、取付け手段を不要とし、簡便性と、経済性を確保できる。更に、「Ｃ」は、前記の如く、簡単かつワンタッチで引裂き可能で、かつこの引裂き片を、釣糸に結縛、捲装して設けることで、略全ての釣場、又は釣場の気候条件に左右されることなく、この水溶性でなる袋と、各餌、又は重りの使用が図れる。
【００１９】
請求項２の考案は、請求項１に記載の水溶性でなるプラスチック袋であって、
水溶性でなるプラスチック袋を、鯛釣り用として利用し、撒き餌を他の魚に与えるとともに、釣り餌を、前記鯛に食わせる構造とし、針の釣り餌を、撒き餌と水溶性でなるプラスチックで保護する構成とした水溶性でなるプラスチック袋である。
【００２０】
従って、請求項２は、前記「Ａ」〜「Ｃ」の意図を達成するに最適な、鯉釣りを提供できる特徴がある。
【００２１】
請求項３は、請求項１に記載の水溶性でなるプラスチック袋であって、
水溶性でなるプラスチック袋の両端側の溶着部を引裂き、引裂いた引裂き片を、釣糸に結縛、捲装して設ける構成とした水溶性でなるプラスチック袋である。
【００２２】
従って、請求項３は、次の特徴がある。その「Ｃ」は、前記の如く、簡単かつワンタッチで引裂き可能で、かつこの引裂き片を、釣糸に結縛、捲装して設けることで、略全ての釣場、又は釣場の気候条件に左右されることなく、この水溶性でなる袋と、各餌、又は重りの使用が図れる。
【考案を実施するための最良の形態】
【００２３】
本考案の一例を説明する。
【００２４】
図面の説明をすると、図１−１〜図１−４は水溶性でなるプラスチック袋（プラスチック袋）を示しており、その図１−１は、水溶性でなるプラスチック袋素材（袋素材）を展開した状態の平面図、図１−２は、図１−１に示した袋素材を長手方向の中心より折曲げた状態の側面図、図１−３は、図１−２に示した袋素材の縁側の一方を示し、かつその溶着部を示した側面図、図１−４は、プラスチック袋の要部欠截の正面図である。また、図２−１〜２−４はプラスチック袋に、釣り餌と撒き餌を収容する第一実施例を示しており、その図２−１は、プラスチック袋に適量な釣り餌と撒き餌を収容した正面図、その図２−２は、適量な釣り餌と撒き餌を収容したプラスチック袋の溶着部を所定長さ引裂いた後に、この釣り餌と撒き餌を収容したプラスチック袋を、釣糸に結縛、捲装して設ける前の状態の正面図、その図２−３は、図２−２に示した釣り餌と撒き餌を収容したプラスチック袋を、釣糸に結縛した状態の正面図、その図２−４は、河川、又は海に投下し、水中に沈んだ状態であって、他の魚（小魚、鮒、ブラックバス等の鯉、又は目的とする釣り魚以外の魚）から、釣り餌と撒き餌を保護する状態と、その後、鯉、又は目的とする釣り魚のすみか、遊泳、或いは成育等する箇所において、撒き餌を拡散し、この鯉、又は目的とする釣り魚を釣上げる状態を示した模式図である。さらに、図３−１〜３−４はプラスチック袋に、釣り餌と重りを収容する第二実施例を示しており、その図３−１は、プラスチック袋に適量な釣り餌と重りを収容した正面図、その図３−２は、適量な釣り餌と重りを収容したプラスチック袋の溶着部を所定長さ引裂いた後に、この釣り餌と重りを収容したプラスチック袋を、釣糸に結縛、捲装して設ける前の状態の正面図、その図３−３は、図３−２に示した釣り餌と重りを収容したプラスチック袋を、釣糸に結縛した状態の正面図、その図３−４は、河川、又は海に投下し、水中に沈んだ状態であって、他の魚（小魚、鮒、ブラックバス等の鯉、又は目的とする釣り魚以外の魚）から、釣り餌と重りを保護する状態と、その後、鯉、又は目的とする釣り魚のすみか、遊泳、或いは成育等する箇所において、撒き餌を拡散し、この鯉、又は目的とする釣り魚を釣上げる状態を示した模式図である。また、図４は、第三実施例を示しており、プラスチック袋を、釣り餌を保護する状態と、仕掛けが道糸に絡まないように、所謂、絡み防止とし、鯉、又は目的とする釣り魚のすみか、遊泳、或いは成育等のいる箇所に、遠投可能とした状態を示した模式図である。
【００２５】
以下、本考案の第一〜第三実施例を説明するが、基本的な構造は、第一実施例で説明する。
【００２６】
図中１は、水溶性でなるプラスチック袋（以下、プラスチック袋とする）で、このプラスチック袋１の袋部１ａは、次のようにして構成する。即ち、図１−１の如く、展開状態において、長方形のプラスチック袋素材１００を、長手方向１００ａの中心（底部１０１）より、図１−２の如く、折曲げて袋部１ａの原型を構成する。そして、図１−３の如く、この原型の両縁側１ｂの端部１ｂ１のみを溶着し、溶着部１０２、１０２（１０２）とする構造であり、この溶着部１０２は、器具（鋏）を要さずに、簡単に引裂き可能とする。尚、完成したプラスチック袋１を図１−４において、一部を欠截して示してある。
【００２７】
そして、図２−１〜２−４に示した第一実施例では、図２−１に示す如く、このプラスチック袋１（袋部１ａ）に、釣り餌２と撒き餌３を収容する。そして、図２−２の如く、溶着部１０２を、引裂き（破り）、引裂き片４、４（４とする）を形成する。従って、前記釣り餌２と撒き餌３は、この引裂き片４の下側の袋部１ａに収容される構造である。この収容後に、図２−３に示した如く、釣り餌２と撒き餌３を収容したプラスチック袋１の切裂き片４を、釣糸５に結縛、又は捲装して設ける（結縛は、緊締性、かつ重量対応性等により理想である）。この状態で、図２−４の如く、釣り餌２と撒き餌３を収容したプラスチック袋１を、錘等の取付け用の重り６の重量と、竿８の反揆を利用して遠投する。最初は、水中（海中）の浅い所に滞留し、プラスチック袋１内の釣り餌２と撒き餌３を、この近辺をすみか、遊泳、或いは成育等する他の魚１０（小魚、鮒、ブラックバス等の鯉、又は目的とする釣り魚以外の魚）を保護する。そして、重り６によって、水中に沈み、鯉、又は目的とする釣り魚１１のすみか、遊泳、或いは成育等する箇所において、撒き餌３を拡散し、この鯉、又は目的とする釣り魚１１を釣上げる状態を示しており、確実に、かつ目的とする鯉、又は目的とする釣り魚１１に対して、釣り餌２を見付け易くする。これにより、本考案が意図する鯉、又は目的とする釣り魚１１の釣上げ確立が向上する。また、本考案では、このプラスチック袋１は、水中で溶解することで、取外しを要さない。従って、簡便であり、また、釣場の気象条件、時間に左右されず、有益かつ重宝する。また、撒き餌３を所定の箇所で、かつ少量で済み各種の環境維持に有効である。
【００２８】
また、図３−１〜３−４に示した第二実施例では、図３−１に示す如く、このプラスチック袋１（袋部１ａ）に、釣り餌２と、小石、砂、錘等のフリーな重り６００を収容する。そして、図３−２の如く、溶着部１０２を、引裂き（破り）、引裂き片４、４（４とする）を形成する。従って、前記釣り餌２と重り６００は、この引裂き片４の下側の袋部１ａに収容される構造である。この収容後に、図３−３に示した如く、釣り餌２と重り６００を収容したプラスチック袋１の切裂き片４を、釣糸５に結縛する。この状態で、図３−４の如く、釣り餌２と重り６００を収容したプラスチック袋１を、重り６００及び／又は重り６の重量と、竿８の反揆を利用して遠投する。最初は、水中の浅い所に滞留し、プラスチック袋１内の釣り餌２を、この近辺をすみか、遊泳、或いは成育等する他の魚１０（小魚、鮒、ブラックバス等の鯉、又は目的とする釣り魚以外の魚）を保護する。そして、重り６００によって、水中に沈み、かつこの重り６００を開放したプラスチック袋１より、川・海底（図示せず）に落としながら、鯉、又は目的とする釣り魚１１のすみか、遊泳、或いは成育等のいる箇所に至らしめる。この状態が、丁度、この鯉、又は目的とする釣り魚１１を釣上げる状態であって、確実に、かつ目的とする鯉、又は目的とする釣り魚１１に対して、釣り餌２を見付け易い状態を確保する。これにより、本考案が意図する鯉、又は目的とする釣り魚１１の釣上げの確立が向上する。
【００２９】
尚、図４に示した第三実施例では、プラスチック袋１で、切れ易い、また、壊れ易い釣り餌２を保護し、かつ仕掛け（図示しない）が、何時でも（遠投時、鯉、又は目的とする釣り魚１１のすみか、遊泳、或いは成育等のいる箇所）、道糸５００に絡まないように、所謂、絡み防止とし、鯉、又は目的とする釣り魚１１のすみか、遊泳、或いは成育等する箇所に、遠投可能となり、重宝する。
【００３０】
図中１３は釣針、１４は浮きを、それぞれ示す。
【図面の簡単な説明】
【００３１】
【図１−１】図１−１は、水溶性でなるプラスチック袋素材（袋素材）を展開した状態の平面図
【図１−２】図１−２は、図１−１に示した袋素材を長手方向の中心より折曲げた状態の側面図
【図１−３】図１−３は、図１−２に示した袋素材の縁側の一方を示し、かつその溶着部を示した側面図
【図１−４】図１−４は、プラスチック袋の要部欠截の正面図
【図２−１】図２−１は、第一実施例におけるプラスチック袋に適量な釣り餌と撒き餌を収容した正面図
【図２−２】図２−２は、第一実施例における適量な釣り餌と撒き餌を収容したプラスチック袋の溶着部を所定長さ引裂いた後に、この釣り餌と撒き餌を収容したプラスチック袋を、釣糸に結縛、捲装して設ける前の状態の正面図
【図２−３】図２−３は、第一実施例における図２−２に示した釣り餌と撒き餌を収容したプラスチック袋を、釣糸に結縛した状態の正面図
【図２−４】図２−４は、第一実施例における河川、又は海に投下し、水中に沈んだ状態であって、他の魚（小魚、鮒、ブラックバス等の鯉、又は目的とする釣り魚以外の魚）から、釣り餌と撒き餌を保護する状態と、その後、鯉、又は目的とする釣り魚のすみか、遊泳、或いは成育等する箇所において、撒き餌を拡散し、この鯉、又は目的とする釣り魚を釣上げる状態を示した模式図
【図３−１】図３−１は、第二実施例におけるプラスチック袋に適量な釣り餌と重りを収容した正面図
【図３−２】図３−２は、第二実施例における適量な釣り餌と重りを収容したプラスチック袋の溶着部を所定長さ引裂いた後に、この釣り餌と重りを収容したプラスチック袋を、釣糸に結縛、捲装して設ける前の状態の正面図
【図３−３】図３−３は、第二実施例における図３−２に示した釣り餌と重りを収容したプラスチック袋を、釣糸に結縛した状態の正面図
【図３−４】図３−４は、第二実施例における河川、又は海に投下し、水中に沈んだ状態であって、他の魚（小魚、鮒、ブラックバス等の鯉、又は目的とする釣り魚以外の魚）から、釣り餌と重りを保護する状態と、その後、鯉、又は目的とする釣り魚のすみか、遊泳、或いは成育等する箇所において、撒き餌を拡散し、この鯉、又は目的とする釣り魚を釣上げる状態を示した模式図
【図４】図４は、第三実施例を示しており、プラスチック袋を、釣り餌を保護する状態と、仕掛けが道糸に絡まないように、所謂、絡み防止とし、鯉、又は目的とする釣り魚のすみか、遊泳、或いは成育等のいる箇所に、遠投可能とした状態を示した模式図
【符号の説明】
【００３２】
１                プラスチック袋
１ａ              袋部
１ｂ              縁側
１００            プラスチック袋素材
１００ａ          長手方向
１０１            底部
１０２            溶着部
２                釣り餌
３                撒き餌
４                引裂き片
５                釣糸
５００            道糸
６                重り
６００            重り
８                竿
１０              他の魚
１１              鯉、又は目的とする釣り魚
１３              釣針
１４              浮き
【図１−１】
0003149722.tif 000003
【図１−２】
0003149722.tif 000004
【図１−３】
0003149722.tif 000005
【図１−４】
0003149722.tif 000006
【図２−１】
0003149722.tif 000007
【図２−２】
0003149722.tif 000008
【図２−３】
0003149722.tif 000009
【図２−４】
0003149722.tif 000010
【図３−１】
0003149722.tif 000011
【図３−２】
0003149722.tif 000012
【図３−３】
0003149722.tif 000013
【図３−４】
0003149722.tif 000014
【図４】
0003149722.tif 000015